(57)【要約】【課題】商品を特定する商品特定装置を使い易い位置に取り付けられる荷車を提供すること。【解決手段】実施形態のショッピングカートは、床面上を走行自在に設けられたキャスタ部を備えている。キャスタ部の後端には、上方に向けて設けられたフレームが設けられており、キャスタ部上又はフレーム前側には、商品を載置する載置部が設けられている。フレームには、設けられ、操作者が把持するグリップ部と、このグリップ部の複数の位置に着脱可能に構成され、商品を特定する商品特定装置が設けられている。【選択図】図１
2019153065.tif 000002
【特許請求の範囲】
【請求項１】
床面上を走行自在に設けられたキャスタ部と、
前記キャスタ部の後端から上方に向けて設けられたフレームと、
前記キャスタ部上又は前記フレーム前側に設けられ、商品を載置する載置部と、
前記フレームに設けられ、操作者が把持するグリップ部と、
このグリップ部の複数の位置に着脱可能に構成され、商品を特定する商品特定装置と、
を具備する荷車。
【請求項２】
前記グリップ部は、水平方向に延設されたハンドバーである請求項１に記載の荷車。
【請求項３】
前記商品特定装置は、前記グリップ部に締結部材により固定される請求項１に記載の荷車。
【請求項４】
前記フレームは、前記ハンドバーの両端より外側に延出して配置され、前記操作者が把持する延長グリップをさらに有する請求項２に記載の荷車。
【請求項５】
前記延長グリップは、前記フレームに対し、着脱自在に取り付けられる請求項４に記載の荷車。
【発明の詳細な説明】
【技術分野】
【０００１】
本発明の実施形態は、荷車に関する。
【背景技術】
【０００２】
スーパーマーケットやショッピングモール等の店舗において、ＰＯＳ（point-of-sale）システムが導入されている店舗が増えつつある。このような店舗では、顧客が使用するショッピングカートに商品を特定する商品特定装置、例えば、スキャナを取り付けて、商品に付された商品コードを顧客に読み取らせるようにしたショッピングカートが知られている。このようなスキャナは、ショッピングカートのハンドバーに取り付けられている。
【０００３】
しかしながら、ハンドバーは顧客がショッピングカートを押し引きするために設けられており、スキャナを設置する位置によっては、ハンドバーを掴みづらく、ショッピングカートの移動に支障を感じる例があった。また、ショッピングカートの中央に取り付けると、買い物カゴの内部が見にくくなるといった例もがあった。
【０００４】
このため、スキャナをハンドバーの適切な位置に設置できるショッピングカートが望まれている。
【先行技術文献】
【特許文献】
【０００５】
【特許文献１】特許第５７１１７７３号公報
【発明の概要】
【発明が解決しようとする課題】
【０００６】
本発明が解決しようとする課題は、商品を特定する商品特定装置を使い易い位置に取り付けられる荷車を提供することである。
【課題を解決するための手段】
【０００７】
実施形態の荷車は、床面上を走行自在に設けられたキャスタ部を備えている。キャスタ部の後端には、上方に向けて設けられたフレームが設けられており、キャスタ部上又はフレーム前側には、商品を載置する載置部が設けられている。フレームには、設けられ、操作者が把持するグリップ部と、このグリップ部の複数の位置に着脱可能に構成され、商品を特定する商品特定装置が設けられている。
【図面の簡単な説明】
【０００８】
【図１】図１は、実施形態にかかるショッピングカートを示す外観斜視図である。
【図２】図２は、ショッピングカートに組み込まれた制御部を示すブロック図である。
【図３】図３は、ショッピングカートに取り付けられたスキャナの移設位置を示す斜視図である。
【図４】図４は、延設アームが取り付けられたショッピングカートを示す斜視図である。
【発明を実施するための形態】
【０００９】
以下、本実施形態について、図面を参照しながら説明する。図１は、実施形態にかかるＰＯＳ（point-of-sale）システムに対応したショッピングカート（荷車）１０を示す外観斜視図、図２は、ショッピングカート１０に組み込まれた制御部２００を示すブロック図である。なお、本実施の形態では、ハンドルフレーム部４０側を後方とし、ハンドルフレーム部から突出する籠受部５０の突出方向を前方とする。
【００１０】
なお、図示はしないが、ショッピングカート１０は顧客が購入を希望する商品の商品コードを読み取る登録機として機能する。読取った商品のリストは別装置である精算機へと転送される。顧客は精算機を使用することによって、精算を行うものとする。
【００１１】
図１に示すように、本実施形態にかかるショッピングカート１０は、商品を収容する買い物カゴＰを運搬するカート部２０と、カート部２０に取り付けられた電装部１００とを備えている。カート部２０は、床面上を円滑に移動させるためのキャスタ部３０と、このキャスタ部３０の後輪側に立設されたハンドルフレーム部４０と、このハンドルフレーム部４０の高さ方向の中間位置に、前方に向けて取り付けられた籠受部５０とを備えている。キャスタ部３０及び籠受部５０は、買物カゴＰが適宜載せられるように構成されている。買い物カゴＰは、揺動する持ち手Ｐａを有している。
【００１２】
キャスタ部３０は、後辺が開口した四角枠状のフレーム３１と、このフレーム３１の四隅にそれぞれ設けられたキャスタ３２を備えている。キャスタ３２は、鉛直方向の軸周りに自由に回転するブラケット３２ａと、このブラケット３２ａに水平方向に自由に回転するゴムあるいは樹脂製の車輪３２ｂを備えている。このフレーム３１には、受け部３３が設けられている。受け部３３は、買い物カゴＰの下部が収まる寸法で形成されている。
【００１３】
ハンドルフレーム部４０は、キャスタ部３０の左右の後輪側にそれぞれ取り付けられた縦フレーム４１，４１と、これら縦フレーム４１，４１の上端を繋ぐ水平方向のハンドバー４２を備えている。左側の縦フレーム４１には、延長アーム４３が取り付けられている。
【００１４】
籠受部５０は、四角枠状のフレーム５１と、このフレーム５１の下側に設けられた受け部５２を有している。受け部５２は買い物カゴＰの下部が収まる寸法で形成されている。
【００１５】
電装部１００は、キャスタ部３０の上部に設けられる。ハンドルフレーム部４０の下端側に縦フレーム４１，４１に亘って取り付けられたバッテリ部１１０と、商品コードを読み取るためのスキャン装置１２０を設ける。また、スキャン装置１２０で読み取った商品の商品名称・単価等の各種情報を表示する表示器１５０と、買い物カゴＰ内部等を撮像するカメラ１６０とを備えている。バッテリ部１１０は、スキャン装置１２０、表示器１５０、カメラ１６０にハンドルフレーム部４０に内装された電力線を介して電力を供給している。また、スキャン装置１２０、表示器１５０、カメラ１６０相互は、ハンドルフレーム部４０及び延長アーム４３に内装したケーブルにより接続されている。表示器１５０は、延長アーム４３の上端に取り付けられている。また、カメラ１６０は延長アーム４３の中途部に取り付けられている。これらの構成によって顧客が購入を希望する商品の商品コードを読み取る登録機としてのショッピングカートが構成される。
【００１６】
図１に示すように、スキャン装置１２０は、ハンドバー４２に着脱自在に取り付けられるクランプ１２１と、このクランプ１２１に一体的に取り付けられたスキャナ本体１２２を具備している。クランプ１２１は、ハンドバー４２の軸方向に移動することを防止するためボルト１２１ａによって締結されている。
【００１７】
スキャナ本体１２２の前面には、商品を特定する商品コードを読み取る読取部（商品特定装置）１２３が設けられている。さらに、スキャナ本体１２２の上面には読取部１２３による読取動作を開始するためのスキャナトリガ１２４が設けられている。
【００１８】
表示器１５０はタッチパネル機能を有する表示パネル１５２を有する。端末筐体１５１の正面に表示パネル１５２が設けられている。端末筐体１５１内部には、バッテリ部１１０、スキャン装置１２０、表示器１５０、カメラ１６０を連携制御する制御部２００が設けられている。
【００１９】
図２に示すように、制御部２００は、各部を集中的に制御するＣＰＵ（Central  Processing  Unit）２０１に、バスライン２１０を介して、固定データを固定的に記憶するＲＯＭ（Read  Only  Memory）２０２と、可変データを書き換え自在に記憶してＣＰＵ２０１のワークエリア等として機能するＲＡＭ（Random  Access  Memory）２０３と、不揮発性メモリ２０４とが接続されている。ＲＡＭ２０３には、上位サーバからダウンロードした商品マスタや、顧客が読取った商品コードと商品マスタに基づいて作成される買物リストを記憶する記憶領域が設けられている。また、不揮発性メモリ２０４には、ＣＰＵ２０１により実行されるプログラムが記憶されている。さらに、ＣＰＵ２０１は、バスライン２１０を介して、表示パネル１５２とのインターフェイス２０５、スキャン装置１２０とのインターフェイス２０６、バッテリ部１１０とのインターフェイス２０７、カメラ１６０とのインターフェイス２０８と接続されている。また、ＣＰＵ２０１はバスライン２１０を介して通信インターフェイス２０９と接続されている。通信インターフェイス２０９を介して、精算機や上位サーバなどと通信を行う。
【００２０】
このように構成されたショッピングカート１０は以下のように使用される。すなわち、ショッピングカート１０は当初、店舗の入口等に置かれている。この時、スキャン装置１２０は、クランプ１２１によってハンドバー４２の例えば中央部に固定されている。スキャン装置１２０の固定は、店舗の店員等が工具を用いてボルト１２１ａを締め付けることによって行われる。なお、店員等が工具を用いてボルト１２１ａを緩めることで、クランプ１２１の締結位置をハンドバー４２の任意の位置に移動させることができる。したがって、顧客は使用中にスキャン装置１２０を移動させることはない。
【００２１】
次に、顧客は使用するショッピングカート１０を引き出し、買い物カゴＰを取り、キャスタ部３０又は籠受部５０の少なくとも一方に買い物カゴＰを載置する。ここではキャスタ部３０及び籠受部５０にそれぞれに買い物カゴＰを載置するものとする。そして、顧客はハンドバー４２を押しながら、商品の陳列されている商品棚に向けてショッピングカート１０を移動させる。
【００２２】
顧客は、商品棚から目的の商品を取り出し、スキャン装置１２０の読取部１２３に商品の商品コードを近づけ、スキャナトリガ１２４を押す。これにより、商品コードがスキャン装置１２０に読み取られ、読み取られた情報は、制御部２００に送られ、ＲＡＭ２０３に保存されると共に、表示パネル１５２に商品名や金額として表示される。顧客は商品をキャスタ部３０又は籠受部５０のいずれかに載置された買い物カゴＰに入れる。全ての買い物が終了したら、顧客は精算機へ赴く。そして表示器１５０のタッチパネルを操作するなどして、ＲＡＭに記憶された買物リストを精算機へと送信する。顧客は精算機を使用して、決済を行う。決済を終えた客は、ショッピングカート１０を店舗の所定位置に返却する。
【００２３】
次に、スキャン装置１２０の移設について説明する。上述したように、クランプ１２１のボルト１２１ａを緩めることで、ハンドバー４２の任意の位置にクランプ１２１を移動させることが可能となる。例えば、図１の例では、ハンドバー４２の中央位置にスキャン装置１２０を締結させたが、店舗側の判断により顧客にとって買い物カゴＰ内が見えづらいと考える場合もある。このため、図３に示すように、スキャン装置１２０を二点鎖線で示す位置から、ハンドバー４２の右側にずらした位置に締結させるようにしてもよい。同様に左側にずらした位置で締結させるようにしてもよい。
【００２４】
このようにして、店員がハンドバー４２上でのスキャン装置１２０の位置を変えることで、顧客の利便性向上を考えた配置とすることができる。なお、スキャン装置１２０の位置は店舗が決定するものであるが、例えば、それぞれ中央位置・右位置・左位置に締結したショッピングカート１０を予め準備しておくことで、顧客は好みの位置にスキャン装置１２０が取り付けられたショッピングカート１０を選択することが可能となる。
【００２５】
このように本実施形態に係るショッピングカート１０は、商品を特定するスキャン装置１２０を顧客にとって使い易い位置に取り付けることができ、利便性が向上する。
【００２６】
図４は、延設アーム４４，４４がそれぞれ縦フレーム４１，４１取り付けられたショッピングカート１０を示す斜視図である。ショッピングカート１０には、必要に応じて延設アーム４４，４４を取り付けることができる。延設アーム４４，４４の取付けは、ボルトやロック機構等による締結によって強固に行う。
【００２７】
ショッピングカート１０は、顧客はハンドバー４２を押し引きして店舗内を移動するため、ハンドバー４２にスキャン装置１２０が取り付けられていると、手を掛けるグリップ部が少なくなる。このため、延設アーム４４，４４を取り付けることで、クリップ部が増え、顧客の取扱いが容易になる。
【００２８】
なお、延設アーム４４，４４についても、店舗が予めショッピングカート１０に取り付けておくことになる。また、延設アーム４４，４４を取り付けないショッピングカート１０と混在させても良い。
【００２９】
なお、上述した実施形態においては、スキャン装置１２０を取り付ける位置をハンドバー４２としたが、顧客が把持してショッピングカート１０の押し引きに用いる箇所（グリップ）であれば、取り付ける位置はハンドバー４２に限られない。また、延設アーム４４，４４についても、左右一対ではなく１本でも良い。また、スキャン装置１２０のハンドバー４２への取付はクランプ１２１を用いた取付方法以外の取付方法でも良く、クランプ１２１を用いた場合であってもボルト１２１ａ以外の締結方法を用いても良い。
【００３０】
さらに、スキャン装置１２０は商品コードを光学的に読み取るものであるが、無線タグで商品コードを読み取らせるような構成のものを用いても良い。
【００３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１０…ショッピングカート、２０…カート部、３０…キャスタ部、３１…フレーム、３２…キャスタ、４０…ハンドルフレーム部、４１…縦フレーム、４２…ハンドバー、４３…延長アーム、４４…延設アーム、５０…籠受部、５１…フレーム、１００…電装部、１１０…バッテリ部、１２０…スキャン装置、１２１…クランプ、１２１ａ…ボルト、１２２…スキャナ本体、１２３…読取部（商品特定装置）、１２４…スキャナトリガ、１５０…表示器、１５１…端末筐体、１５２…表示パネル、１６０…カメラ、２００…制御部、Ｐ…買い物カゴ。
【図１】
2019153065.tif 000003
【図２】
2019153065.tif 000004
【図３】
2019153065.tif 000005
【図４】
2019153065.tif 000006